(57)【要約】  【課題】  寿命の長い液晶パネルを提供する。  【解決手段】  画素電極を有する画素基板１１と、液晶層１３を挟んで前記画素電極に対向して配置された対向電極を有する対向基板１２と、対向基板１２の内部に設けられたマイクロレンズ層１７と、画素基板の内部に設けられた画素開口層１８を備えた液晶パネルにおいて、マイクロレンズ層１７と画素開口層１４との間の寸法をｄ、マイクロレンズ層１７と液晶層１３との間の寸法をｔとして、０．２３≦ｔ／ｄ≦０．８５の関係を満たすように、液晶層１３を配置する。  【選択図】  図１
2005115057.tif 000002
【特許請求の範囲】
【請求項１】
画素電極を有する画素基板と、
液晶層を挟んで前記画素電極に対向して配置された対向電極を有する対向基板と、
前記対向基板に設けられたマイクロレンズ層と、
前記画素基板に設けられた画素開口層とを備えた液晶パネルにおいて、
前記マイクロレンズ層と前記画素開口層との間の寸法をｄ、前記マイクロレンズ層と前記液晶層との間の寸法をｔとして、ｔ／ｄ≦０．８５の関係を満たすように、前記液晶層を配置したことを特徴とする液晶パネル。
【請求項２】
ｔ／ｄ≧０．２３の関係をさらに満たすことを特徴とする請求項１に記載の液晶パネル。
【請求項３】
ｔ／ｄ＝０．５に設定したことを特徴とする請求項１に記載の液晶パネル。
【請求項４】
請求項１，２又は３に記載の液晶パネルを備えたことを特徴とする投射型液晶表示装置。
【発明の詳細な説明】
【技術分野】
【０００１】
本発明は、マクロレンズを備えた液晶パネル、および該液晶パネルを用いた投射型液晶表示装置に関する。
【背景技術】
【０００２】
近年、液晶パネルは、軽量で低消費電力という特徴から、コンピュータの表示装置、テレビジョン受像機あるいはプロジェクタなどの種々の分野で利用されている。液晶プロジェクタなどの投射型表示装置では、光源から出射される光を赤、緑、青に分離し、各色光を液晶表示素子により構成される３つのライトバルブにより変調し、変調された後の色光束を合わせて投射面に拡大投射している。この液晶プロジェクタなどのライトバルブとしては、一般に、薄膜トランジスタ（ＴＦＴ：Ｔｈｉｎ  Ｆｉｌｍ  Ｔｒａｎｓｉｓｔｏｒ）駆動によるアクティブマトリクス型の液晶パネルが用いられる。
【０００３】
図１２は一般的なアクティブマトリクス型の液晶パネルの要部構成を示す図である。この液晶パネルは、画素基板としてのＴＦＴ基板１と、ＴＦＴ基板１に対向して設けられた対向基板としてのマイクロレンズ基板２とを有し、ＴＦＴ基板１とマイクロレンズ基板２との間に液晶層３が封入されて構成されている。
【０００４】
ＴＦＴ基板１は、詳細な図示は省略されているが、ガラス基板上に、スイッチング素子等の駆動回路部や透明電極としての画素電極が適宜に絶縁層等を介して形成されて構成されている。画素電極と駆動回路部との間には、遮光膜４が配置されている。遮光膜４は、各画素に対応する位置に画素開口部４ａを有し、画素間に配置される駆動回路部に対する光の入射を遮光する。画素電極上には、液晶層３を構成する液晶分子に所定の配向を付与する配向膜（ここでは垂直配向膜）が形成されている。
【０００５】
マイクロレンズ基板２は、ベースガラス５とカバーガラス６の間にマイクロレンズアレイを配置し、カバーガラス６の液晶層３側に透明電極としての対向電極が形成され、対向電極上には上記と同様な配向膜が形成されて構成されている。マイクロレンズアレイは、液晶パネルの高輝度化を図るため、即ち、遮光膜４による光の所謂けられ量を少なくし、画素開口部４ａを光が高効率的に通過するようにするために設けられている。
【０００６】
マイクロレンズアレイの光射出面をマイクロレンズ面７とし、遮光膜４が形成された面を画素開口面８として、また、マイクロレンズ面７から画素開口面８までの寸法をｄ１とし、マイクロレンズ面７から液晶層３までの寸法（即ち、カバーガラス６の厚さ）をｔ１とすると、液晶層３の厚さは２μｍ程度であり、従来は遮光膜４は液晶層３に極めて近い位置に配置されているため、ｔ１≒ｄ１の関係となっている。マイクロレンズアレイ、液晶層３、および遮光膜４は、マイクロレンズアレイによる集光効果を考慮して、適宜な位置関係（例えば、ｔ１＝２６μｍ）で配置されている。
【０００７】
図１３は、上述した従来構造における液晶層３上での光強度分布（１画素領域サイズ）についてのシミュレーション結果を示している。これは、画素サイズを□１４μｍ、液晶層３への入射光角度をマイクロレンズの光軸に対して±１２度、マイクロレンズ基板２のカバーガラス６の厚さをｔ１＝２６μｍ（≒ｄ１）とした場合のシミュレーション結果である。同図に示されているように、液晶層３上での光強度分布は一様ではなく、中央部の強度が極めて強く、周辺部に行くに従って徐々に強度が低下していることがわかる。
【発明の開示】
【発明が解決しようとする課題】
【０００８】
ところで、上述したように、液晶層を構成する液晶材料や液晶層の両側（即ち、マイクロレンズ基板およびＴＦＴ基板との境界面）に配置される配向膜の材料としては、有機材料が用いられており、これらの有機材料は、強い光が長時間照射されることにより、劣化・分解していく。従って、マイクロレンズアレイの集光効果により、図１４の光強度分布に従って、各画素の中央部は周辺に比べ劣化が加速されてしまい、液晶パネルの表示品質を長期に渡り良好に維持することができない場合があるという問題があった。
【０００９】
特に、このような液晶パネルを使用した液晶プロジェクターは、小型化、高輝度化、高精細化が進んでおり、これに伴い、液晶パネルに入射する光の単位面積あたりの強度は大きくなる傾向にあるため、問題である。
【００１０】
本発明は、上記の課題を解決するためになされたものであり、寿命の長い液晶パネルを提供することを目的とする。
【００１１】
また、長期に渡って良好な表示品質を維持することができる投射型液晶表示装置を提供することを目的とする。
【課題を解決するための手段】
【００１２】
前記課題を解決するために、本発明の液晶パネルは、画素電極を有する画素基板と、液晶層を挟んで前記画素電極に対向して配置された対向電極を有する対向基板と、前記対向基板に設けられたマイクロレンズ層と、前記画素基板に設けられた画素開口層とを備えた液晶パネルにおいて、前記マイクロレンズ層と前記画素開口層との間の寸法をｄ、前記マイクロレンズ層と前記液晶層との間の寸法をｔとして、ｔ／ｄ≦０．８５の関係を満たすように、前記液晶層を配置したことを特徴とする。
【００１３】
マイクロレンズ層による集光作用による画素中央部と画素周辺部との光強度差は、該マイクロレンズの光軸に直交する断面で考察した場合、マイクロレンズに最も近い位置において低く、焦点に近くづくにしたがって高くなるので、寿命の観点からは、マイクロレンズ層との関係における液晶層の位置は、該マイクロレンズ層に近い方がよい。一方、マイクロレンズ層と画素開口層（遮光膜）との位置関係では、マイクロレンズ層による集光効果との関係で適切な位置があり、液晶層をマイクロレンズ層に近づけるに伴い、画素開口層をもマイクロレンズ層に近づけると、該画素開口層の遮光部による光の所謂けられ量が大きくなり、高輝度化を図る上で支障となる。
【００１４】
本発明では、液晶層のみを画素開口層に対して、ｔ／ｄが上記の関係となるように離間させてマイクロレンズ層に近づけたので、輝度の低下を生じさせることなく、光の照射に伴う液晶層等の分解・劣化が少なくなり、液晶パネルの寿命を長くすることができる。
【００１５】
本発明の液晶パネルにおいて、ｔ／ｄ≧０．２３の関係をさらに満たすようにできる。本発明者によるシミュレーションによれば、０≦ｔ／ｄ＜０．２３の範囲では、マイクロレンズ層による集光作用による光強度分布はほぼ同様であり、大きな効果が発揮されない。一方、液晶層と画素開口層は、画素開口層の液晶層と反対側に配置される駆動回路部と液晶層に近接して配置される画素電極との配線の観点からは近い方がよく、従って、０．２３≦ｔ／ｄ≦０．８５の関係を満たすように液晶層を配置するのが高効率的である。
【００１６】
また、本発明の液晶パネルにおいて、ｔ／ｄ＝０．５に設定することができる。画素電極と駆動回御部との間の配線等の困難性と、長寿命化という相反する事情の両者を同時に満たすため、マイクロレンズ層と画素開口層との中間位置に液晶層を配置するのが適宜であると考えられる。
【００１７】
また、本発明の投射型液晶表示装置は、上記本発明の液晶パネルを備えたことを特徴とする。寿命の長い液晶パネルを備えているので、この投影型液晶表示装置は長期に渡り良好な画質を維持することができる。
【発明の効果】
【００１８】
本発明によると、寿命の長い液晶パネルが提供されるという効果がある。
【００１９】
また、本発明によると、長期に渡り良好な表示品質を維持することができる投射型液晶表示装置が提供されるという効果がある。
【発明を実施するための最良の形態】
【００２０】
以下、本発明の一実施形態を図面を参照して説明する。図１は本発明の一実施形態による液晶パネルの要部構成を示す図であり、この液晶パネルは投射型液晶表示装置などに一般的に用いられるアクティブマトリクス型の液晶パネルである。
【００２１】
この液晶パネルは、画素基板としてのＴＦＴ基板１１と、ＴＦＴ基板１１に対向して設けられた対向基板としてのマイクロレンズ基板１２とを有し、ＴＦＴ基板１１とマイクロレンズ基板１２との間に液晶層１３が封入されて構成されている。
【００２２】
ＴＦＴ基板１１は、詳細な図示は省略されているが、ガラス基板上に、スイッチング素子等の駆動回路部や画素電極が適宜に絶縁層等を介して形成されて構成されている。画素電極と駆動回路部との間には、遮光膜１４が配置されている。遮光膜１４は、各画素に対応する位置に画素開口部１４ａを有し、画素間に配置される駆動回路部に対する光の入射を遮光する。遮光膜１４上には、後述するように厚さの大きい絶縁層が形成され、その上に透明電極としての画素電極が形成されている。さらに、画素電極上には液晶層１３を構成する液晶分子に所定の配向を付与するための配向膜（ここでは垂直配向膜）が形成されている。駆動回路部と画素電極とは、絶縁層内に形成される導電性のビアホール等により電気的に接続されている。なお、駆動回路部と画素電極の間に配置される絶縁層は、液相法などを用いて形成される。
【００２３】
マイクロレンズ基板１２は、ベースガラス１５とカバーガラス１６の間にマイクロレンズアレイを配置し、カバーガラス１６の液晶層１３側に透明電極としての対向電極が形成され、対向電極上には上記と同様な配向膜が形成されて構成されている。マイクロレンズアレイは、液晶パネルの高輝度化を図るため、即ち、遮光膜１４による光の所謂けられ量を少なくし、画素開口部１４ａを光が高効率的に通過するようにするために設けられている。
【００２４】
以下の説明では、マイクロレンズアレイの光射出面をマイクロレンズ面１７とし、遮光膜１４が形成された面を画素開口面１８とする。また、マイクロレンズ面１７から画素開口面１８までの寸法をｄとし、マイクロレンズ面１７から液晶層１３までの寸法（即ち、カバーガラス１６の厚さ）をｔとして説明する。
【００２５】
本実施形態では、ｄ＝２６μｍ、ｔ＝１３μｍとなるように設定されている。即ち、ｔ／ｄ＝０．５の関係となるように設定されている。画素開口面１８とマイクロレンズ面１７との間の寸法は、マイクロレンズアレイの集光効果との関係において適切な寸法として、例示の数値に設定されている。言い換えると、マイクロレンズ面１７に対する画素開口面１８の位置は従来とほぼ同じで、液晶層１３をマイクロレンズ面１７に近づけて、これらの中間位置に設定している。
【００２６】
図２は、上述した実施形態の液晶パネルの液晶層１３上での光強度分布（１画素領域サイズ）についてのシミュレーション結果を示している。これは、画素サイズを□１４μｍ、液晶層１３への入射光角度をマイクロレンズの光軸に対して±１２度、マイクロレンズ基板１２のカバーガラス１６の厚さをｔ＝１３μｍ（＝ｄ／２）とした場合のシミュレーション結果である。図２と図１３との比較から明らかなように、液晶層１３上での光強度分布は、図１４に示した従来構造の場合と比較して、中央部分のピーク値が約２／３となっており、中央部分と周辺部分の光強度の差が縮小していることがわかる。
【００２７】
このように、本実施形態では、カバーガラス１６の厚さを従来よりも薄くして、その分だけ液晶層１３と遮光膜１４との間の絶縁層の厚さを厚くすることにより、液晶層１３のみをマイクロレンズ面１７に近づけている。これにより、液晶層１３を通過する光の強度分布のピーク値が従来よりも小さくなるため、有機材料から構成される液晶層１３や配向膜の光照射に伴う分解・劣化の進行が遅くなる。これにより、液晶パネルの寿命を長くすることができる。
【００２８】
また、マイクロレンズ面１７（マイクロレンズアレイ）に対する画素開口面１８（遮光膜１４）の位置関係は変更していないので、マイクロレンズアレイの集光作用により液晶パネルの透過光量を向上させるという効果は維持されている。即ち、明るさを犠牲にすることなく、長寿命化を図ることができる。
【００２９】
液晶層１３や配向膜等の材料が入射する光により劣化・分解していき、最終的に画質不良を生じるまでの時間を耐光性寿命時間とすると、この耐光性寿命時間は、入射光量に反比例する。上述した実施形態の液晶パネルは、液晶層１３に入射する光強度が従来構造の液晶パネルと比較して約２／３となっているので、上述した実施形態の液晶パネルの耐光性寿命は、従来構造の液晶パネルの耐光性寿命時間の約１．５倍となる。
【００３０】
図３〜図８は、液晶層１３とマイクロレンズ面１７との間の寸法ｔを徐々に減少させていった場合の液晶層１３上での光強度分布（１画素領域サイズ）についてのシミュレーション結果を示している。図３はｔ＝２４μｍ、図４はｔ＝１８μｍ、図５はｔ＝１４μｍ、図６はｔ＝１０μｍ、図７はｔ＝６μｍ、図８はｔ＝０μｍの場合である。これらの図からわかるように、液晶層１３はマイクロレンズ面１７に近い程（カバーガラス１６の厚さが薄い程）、中央部分のピーク値が小さくなり、図８に示すｔ＝０μｍの場合（カバーガラス１９を設けない場合）が、当該ピーク値が最小となる。
【００３１】
図９は縦軸に相対最大照度をとり、横軸にｔ／ｄをとった場合のシミュレーション結果を、図１０は縦軸に延命効果を横軸にｔ／ｄをとった場合のシミュレーション結果を示している。これらの図からわかるように、相対最大照度はｔ／ｄ＝０．８５よりも小さくなると顕著に低下し、延命効果はこれに反比例してｔ／ｄ＝０．８５よりも小さくなると顕著に上昇する（即ち、寿命が長くなる）。一方、相対最大照度はｔ／ｄ＝０．２３よりも大きくなると顕著に上昇し、延命効果はこれに反比例してｔ／ｄ＝０．２３よりも大きくなると顕著に低下する（即ち、寿命が短くなる）。
【００３２】
０．８５＜ｔ／ｄ≦１の範囲では、光強度はそれほど変化せず、改善効果が認められないので、ｔ／ｄ≦０．８５であることが好適である。また、０≦ｔ／ｄ＜０．２３の範囲では、光強度はそれほど変化しない一方、遮光膜１４の外側（液晶層１３と反対側）に配置されるスィッチング素子等の駆動回路部と液晶層１３に近接して配置される画素電極との間の寸法は、配線の容易化等の観点からは近い方がよいので、０．２３≦ｔ／ｄであることが好適である。従って、０．２３≦ｔ／ｄ≦０．８５の範囲内で、マクロレンズアレイ、液晶層１３、および遮光膜１４を配置することが好適である。
【００３３】
図１１は、上述した液晶パネルを組み込んだ投射型液晶表示装置としての液晶プロジェクタの概略構成を示す図である。
【００３４】
この液晶プロジェクタ１００は、光源からの光を赤色、青色、緑色の３原色に分離し、それぞれの色に対して液晶表示パネルを１枚ずつ用いてカラー画像表示を行なう、いわゆる３板方式のプロジェクタである。３原色にそれぞれ対応する液晶表示パネル１２５Ｒ，１２５Ｇ，１２５Ｂが、図１の液晶表示素子に相当し、３枚ともほぼ同じ構造を有している。なお、１２５Ｒは赤色光が入射する液晶表示パネルを、１２５Ｇは緑色光が入射する液晶表示パネルを、１２５Ｂは青色光が入射する液晶表示パネルである。
【００３５】
液晶プロジェクタ１００は、光を発する光源１１１と、光源１１１からの光の出射側に配置される第１のレンズアレイ１１２と、第１のレンズアレイ１１２からの出射光を反射し、出射光の光路（光軸１１０）を９０°変更するミラー１１４と、ミラー１１４からの反射光が入射する第２のレンズアレイ１１３とを備えている。ミラー１１４は、好適には全反射ミラーである。第１レンズアレイ１１２と第２レンズアレイ１１３には、それぞれ複数のマイクロレンズ１１２Ｍ，１１３Ｍが２次元的に配列されている。第１レンズアレイ１１２、第２レンズアレイ１１３は、光の照度分布を均一化させるためのものであり、入射した光を複数の小光束に分割する機能を有している。
【００３６】
なお、光源１１１と第１レンズアレイ１１２との間に、図示しないＵＶ（Ｕｌｔｒａ  Ｖｉｏｌｅｔ）／ＩＲ（Ｉｎｆｒａｒｅｄ）カットフィルタを設置してもよい。光源１１１は、カラー画像表示に必要とされる、赤色光、青色光および緑色光を含んだ白色光を発する。光源１１１は、白色光を発する発光体（図示せず）と、発光体から発せられた光を反射、集光するリフレクターとを含んで構成されている。発光体としては、例えば、超高圧水銀ランプ、ハロゲンランプ、メタルハライドランプまたはキセノンランプ等のランプが使用される。リフレクターは、集光効率が良い形状であることが望ましく、例えば回転楕円鏡や回転放物面等の回転対称な凹面形状となっている。また、発光体の発光点は、凹面形状のリフレクターの焦点位置に配置される。
【００３７】
光源１１１の発光体から出射された白色光は、リフレクターによって略平行光となり、第１レンズアレイ１１２を通過して全反射ミラー１１４に入射する。全反射ミラー１１４によって光軸１１０が９０°曲がった白色光は、第２レンズアレイ１１３に入射する。また、この液晶プロジェクタ１００は、第２レンズアレイ１１３からの光の出射側に、ＰＳ合成素子１１５と、コンデンサレンズ１１６と、ダイクロイックミラー１１７とを有する。
【００３８】
ＰＳ合成素子１１５には、第２レンズアレイ１１３における隣り合うマイクロレンズ１１３Ｍに対応する位置に、複数の位相差板１１５Ａが設けられている。１／２波長板が、位相差板１１５Ａの一例である。ＰＳ合成素子１１５は、入射した光をＰ偏光成分およびＳ偏光成分の偏光に分離する。また、ＰＳ合成素子１１５は、分離した２つの偏光のうち、一方の偏光を、その偏光方向（例えばＰ偏光）を保ったまま出射し、他方の偏光（例えばＳ偏光成分）を、１／２波長板１１５Ａの作用により、他の偏光成分（例えばＰ偏光成分）に変換して出射する。
【００３９】
ＰＳ合成素子１１５から出射した光は、コンデンサレンズ１１６によって集光されてダイクロイックミラー１１７に入射する。ダイクロイックミラー１１７は、入射した光のうち、例えば赤色光ＬＲを反射し、その他の色の光を透過することにより、入射光を赤色光ＬＲとその他の色とに色分解する。
【００４０】
さらに、液晶プロジェクタ１００は、ダイクロイックミラー１１７によって色分解された赤色光ＬＲの光路に沿って、ミラー１１８と、フィールドレンズ１２４Ｒと、入射側偏光板１３０Ｉと、液晶表示パネル１２５Ｒと、出射側偏光板１３０Ｓとを有する。ミラー１１８としては、好適には全反射ミラーが用いられる。全反射ミラー１１８は、ダイクロイックミラー１１７によって色分解された赤色光ＬＲを、入射側偏光板１３０Ｉおよび液晶表示パネル１２５Ｒに向けて反射する。
【００４１】
入射側偏光板１３０Ｉは、前述のように、全反射ミラー１１８から入射する赤色光ＬＲのうち、偏光軸に一致する方向の光を通過させる。液晶表示パネル１２５Ｒは、上述のように図１に図解の液晶パネルと同じ構造をしており、入射側偏光板１３０Ｉを介して入射した赤色光ＬＲを、入力される画像データに応じて空間的に変調する。出射側偏光板１３０Ｓは、液晶表示パネル１２５Ｒからの変調された赤色光ＬＲのうち、偏光軸に一致する方向の光を通過させる。
【００４２】
液晶プロジェクタ１００は、ダイクロイックミラー１１７によって色分解された他の色の光の光路に沿って、ダイクロイックミラー１１９を有している。ダイクロイックミラー１１９は、入射した光のうち、例えば緑色光ＬＧを反射して青色光ＬＢを透過することにより、入射した光を緑色光ＬＧと青色光ＬＢとに色分解する。ダイクロイックミラー１１９によって色分解された緑色光ＬＧの光路には、フィールドレンズ１２４Ｇと、入射側偏光板１３０Ｉと、液晶表示パネル１２５Ｇと、出射側偏光板１３０Ｓとが設けられている。入射側偏光板１３０Ｉは、ダイクロイックミラー１１９から入射する緑色光ＬＧのうち、偏光軸に一致する方向の光を通過させる。液晶表示パネル１２５Ｇは、入射側偏光板１３０Ｉを介して入射した緑色光ＬＧを、入力される画像データに応じて空間的に変調する。出射側偏光板１３０Ｓは、液晶表示パネル１２５Ｇからの変調された緑色光ＬＧのうち、偏光軸に一致する方向の光を通過させる。
【００４３】
さらに、ダイクロイックミラー１１９によって色分解された青色光ＬＢの光路に沿って、リレーレンズ１２０と、ミラー１２１と、リレーレンズ１２２と、ミラー１２３と、フィールドレンズ１２４Ｂと、入射側偏光板１３０Ｉと、液晶表示パネル１２５Ｂと、出射側偏光板１３０Ｓとが設けられている。ミラー１２１，１２３は、好適には全反射ミラーである。全反射ミラー１２１は、リレーレンズ１２０を介して入射した青色光ＬＢを、全反射ミラー１２３に向けて反射する。全反射ミラー１２３は、全反射ミラー１２１によって反射され、リレーレンズ１２２を介して入射した青色光ＬＢを、入射側偏光板１３０Ｉおよび液晶表示パネル１２５Ｂに向けて反射する。
【００４４】
入射側偏光板１３０Ｉは、全反射ミラー１２３から入射する緑色光ＬＧのうち、偏光軸に一致する方向の光を通過させる。液晶表示パネル１２５Ｂは、全反射ミラー１２３によって反射され、フィールドレンズ１２４Ｂおよび入射側偏光板１３０Ｉを介して入射した青色光ＬＢを、入力される画像データに応じて空間的に変調する。出射側偏光板１３０Ｓは、液晶表示パネル１２５Ｂからの変調された青色光ＬＢのうち、偏光軸に一致する方向の光を通過させる。赤色光ＬＲ、緑色光ＬＧおよび青色光ＬＢの光路が交わる位置には、これら３つの色光を合成する機能を有したクロスプリズム１２６が設置されている。
【００４５】
クロスプリズム１２６は、一例として、赤色光ＬＲ，緑色光ＬＧ，青色光ＬＢがそれぞれ入射する入射面１２６Ｒ，１２６Ｇ，１２６Ｂ、および、赤色光ＬＲ，緑色光ＬＧ，青色光ＬＢが合成された光が出射する出射面１２６Ｔを各々有する４つの直角プリズムを接合して構成されている。液晶プロジェクタ１００においては、クロスプリズム１２６内に入射した緑色光ＬＧを出射面１２６Ｔ側に向けて透過し、クロスプリズム１２６内に入射した赤色光ＬＲおよび青色光ＬＢを出射面１２６Ｔ側に向けて反射するように、ダイクロイック膜が各直角プリズムの接合面にコートされている。以上により、クロスプリズム１２６は、入射面１２６Ｒ，１２６Ｇ，１２６Ｂに入射した３つの色光を合成して出射面１２６Ｔから出射する。
【００４６】
また、液晶プロジェクタ１００は、クロスプリズム１２６から出射された合成光を、スクリーン１２８に向けて投射するための投射レンズ１２７を有している。投射レンズ１２７は、好適には複数のレンズからなり、スクリーン１２８に投射する画像の大きさを調整するズーム機能や、ピント合わせ機能を有する。
【００４７】
上述した液晶プロジェクタでは、上述した耐光性寿命時間の長い液晶パネルを用いているので、長期間に渡って良好な画質を提供することができる。
【００４８】
なお、本発明の液晶パネルは、プロジェクタに限られず、ＥＶＦ（Ｅｌｅｃｔｒｉｃ  Ｖｉｅｗ  Ｆｉｎｄｅｒ）、携帯機器用などの任意の装置の表示素子として適用可能である。
【００４９】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００５０】
【図１】図１は本発明の一実施形態による液晶パネルの要部構成を示す図である。
【図２】図２は液晶層における光強度分布を示す図であり、マイクロレンズ面から液晶層までの寸法ｔ＝１３μｍに設定した場合を示している。
【図３】図３は液晶層における光強度分布を示す図であり、マイクロレンズ面から液晶層までの寸法ｔ＝２４μｍに設定した場合を示している。
【図４】図４は液晶層における光強度分布を示す図であり、マイクロレンズ面から液晶層までの寸法ｔ＝１８μｍに設定した場合を示している。
【図５】図５は液晶層における光強度分布を示す図であり、マイクロレンズ面から液晶層までの寸法ｔ＝１４μｍに設定した場合を示している。
【図６】図６は液晶層における光強度分布を示す図であり、マイクロレンズ面から液晶層までの寸法ｔ＝１０μｍに設定した場合を示している。
【図７】図７は液晶層における光強度分布を示す図であり、マイクロレンズ面から液晶層までの寸法ｔ＝６μｍに設定した場合を示している。
【図８】図８は液晶層における光強度分布を示す図であり、マイクロレンズ面から液晶層までの寸法ｔ＝０μｍに設定した場合を示している。
【図９】図９はｔ／ｄと相対最大照度との関係を示す図である。
【図１０】図１０はｔ／ｄと延命効果との関係を示す図である。
【図１１】図１１は本発明の一実施形態による投射型液晶表示装置（プロジェクタ）の概略構成図である。
【図１２】図１２は従来の液晶パネルの要部構成を示す図である。
【図１３】図１３は従来の液晶パネルの液晶層における光強度分布を示す図である。
【符号の説明】
【００５１】
１１…ＴＦＴアレイ基板、１２…マイクロレンズ基板、１３…液晶層、１４…遮光膜、１４ａ…画素開口部、１５…ベースガラス、１６…カバーガラス、１７…マイクロレンズ面、１８画素開口部、１００…液晶プロジェクタ。
【図１】
2005115057.tif 000003
【図２】
2005115057.tif 000004
【図３】
2005115057.tif 000005
【図４】
2005115057.tif 000006
【図５】
2005115057.tif 000007
【図６】
2005115057.tif 000008
【図７】
2005115057.tif 000009
【図８】
2005115057.tif 000010
【図９】
2005115057.tif 000011
【図１０】
2005115057.tif 000012
【図１１】
2005115057.tif 000013
【図１２】
2005115057.tif 000014
【図１３】
2005115057.tif 000015